(57)【特許請求の範囲】
【請求項１】
刷版又は用紙の上に複数のコンテンツ画像を配置する画像編集装置であって、
前記刷版又は前記用紙上に指定された全体領域中、直線状である２以上の分割線を決定する分割線決定部と、
前記分割線決定部により決定された前記２以上の分割線に沿った分割により形成される複数のサブ領域内に、各前記サブ領域に応じた各前記コンテンツ画像をそれぞれ配置する画像配置部と、を備え、
前記分割線決定部は、前記全体領域、前記サブ領域又は前記２以上の分割線の情報に基づいて、前記全体領域に対する前記２以上の分割線の分割順番を順次決定する
ことを特徴とする画像編集装置。
【請求項２】
請求項１記載の画像編集装置において、
前記分割線決定部は、現時点で既に決定されたすべての前記分割線に沿った分割により形成される２以上のサブ領域のうち、少なくとも１つのサブ領域を分割対象のサブ領域として次の分割線を決定することを特徴とする画像編集装置。
【請求項３】
請求項２記載の画像編集装置において、
前記分割線決定部は、前記分割対象のサブ領域をそれぞれ二等分するように前記次の分割線を決定することを特徴とする画像編集装置。
【請求項４】
請求項１〜３のいずれか１項に記載の画像編集装置において、
前記分割線決定部は、前記分割線の長さに応じて前記分割順番を決定することを特徴とする画像編集装置。
【請求項５】
請求項１〜３のいずれか１項に記載の画像編集装置において、
前記分割線決定部は、前記分割線の方向に応じて前記分割順番を決定することを特徴とする画像編集装置。
【請求項６】
請求項１〜３のいずれか１項に記載の画像編集装置において、
前記分割線決定部は、前記分割線の始点又は終点の位置に応じて前記分割順番を決定することを特徴とする画像編集装置。
【請求項７】
請求項１〜６のいずれか１項に記載の画像編集装置において、
配置位置を特定する座標系を前記サブ領域毎にそれぞれ定義する座標系定義部をさらに備え、
前記画像配置部は、前記座標系定義部により定義された前記座標系に従って各前記コンテンツ画像をそれぞれ配置する
ことを特徴とする画像編集装置。
【請求項８】
請求項１〜７のいずれか１項に記載の画像編集装置において、
各前記サブ領域内に配置される前記コンテンツ画像には、ページ単位の画像を配置した面付け画像が少なくとも含まれることを特徴とする画像編集装置。
【請求項９】
請求項１〜８のいずれか１項に記載の画像編集装置において、
前記全体領域に対する前記２以上の分割線の位置情報及び前記分割順番に関する情報を、断裁指示情報として外部に送出する情報送出部をさらに備えることを特徴とする画像編集装置。
【請求項１０】
刷版又は用紙の上に複数のコンテンツ画像を配置する画像編集方法であって、
前記刷版又は前記用紙上に指定された全体領域中、直線状である２以上の分割線を決定する決定ステップと、
決定された前記２以上の分割線に沿った分割により形成される複数のサブ領域内に、各前記サブ領域に応じた各前記コンテンツ画像をそれぞれ配置する配置ステップと、を備え、
前記決定ステップでは、前記全体領域、前記サブ領域又は前記２以上の分割線の情報に基づいて、前記全体領域に対する前記２以上の分割線の分割順番を順次決定する
ことを特徴とする画像編集方法。
【請求項１１】
刷版又は用紙の上に複数のコンテンツ画像を配置するためのプログラムであって、コンピュータを、
前記刷版又は前記用紙上に指定された全体領域中、直線状である２以上の分割線を決定する分割線決定部、
前記分割線決定部により決定された前記２以上の分割線に沿った分割により形成される複数のサブ領域内に、各前記サブ領域に応じた各前記コンテンツ画像をそれぞれ配置する画像配置部
として機能させ、
前記分割線決定部は、前記全体領域、前記サブ領域又は前記２以上の分割線の情報に基づいて、前記全体領域に対する前記２以上の分割線の分割順番を順次決定する
ことを特徴とするプログラム。
【請求項１２】
請求項９記載の画像編集装置と、
前記画像編集装置によりそれぞれ配置された前記複数のコンテンツ画像を前記用紙上に印刷することで印刷物を得る印刷機と、
前記画像編集装置が備える前記情報送出部から送出された前記断裁指示情報を受信し、該断裁指示情報に応じて、前記印刷機により印刷された前記印刷物を前記２以上の分割線に沿って断裁する断裁機と
を備えることを特徴とする印刷物生産システム。
【発明の詳細な説明】
【技術分野】
【０００１】
この発明は、刷版又は用紙の上に複数のコンテンツ画像を配置する画像編集装置、画像編集方法、プログラム及び印刷物生産システムに関する。
【背景技術】
【０００２】
近時、印刷製版の分野において、ＤＴＰ（DeskTop Publishing）やＣＴＰ（Computer To Plate）の普及により、印刷工程のワークフローが全体的にデジタル化されている。例えば、印刷物の生産コストを低減するため、大判サイズの刷版（又は用紙）に複数のジョブを割り当て・配置する「大貼り」に関する技術、又は大貼りされた印刷物の断裁に関する技術が種々提案されている。
【０００３】
特許文献１には、所定の規則に従って、複数のページを表す面付け画像を、枚葉紙の一面上に２以上配置した例及びその計算方法が記載されている。
【０００４】
特許文献２では、印刷装置と、該印刷装置により印刷された用紙を印刷画像の配置に応じて断裁する断裁装置と、この印刷装置及び断裁装置をそれぞれ制御する制御装置とを備えるシステムが提案されている。これにより、少ないページで無駄のない印刷処理が可能である旨が記載されている。
【０００５】
特許文献３では、多面印刷された複数の印刷物の間に断裁シートを適時差し込む装置及び方法が提案されている。これにより、作業者の断裁ミスを軽減し、処理効率の向上が可能である旨が記載されている。
【先行技術文献】
【特許文献】
【０００６】
【特許文献１】特表２０１１−５２２３２１号公報（図２〜図４、図６〜図８）
【特許文献２】特開２００８−４６９３６号公報（請求項１、図１、段落［００１２］）
【特許文献３】特開２００７−３２６２８５号公報（請求項１、図１０、段落［００１９］）
【発明の概要】
【発明が解決しようとする課題】
【０００７】
ところで、１枚の刷版（又は用紙）上に複数のサイズのコンテンツ画像が混在する場合、上記した断裁工程の際、複数のコンテンツ画像を切り離すために効率的な断裁順番が存在し得る。逆に言えば、選択される断裁順番によっては、作業の効率が悪くなり、あるいは断裁すべきでない箇所を誤って断裁するおそれもある。
【０００８】
しかしながら、特許文献１〜３で提案された装置及び方法では、断裁作業自体の効率性について何ら考慮がなされていない。特に、不慣れな作業者にとってどのように断裁を進めてよいか迷いが生じ、その結果、作業効率が低下する場合があった。
【０００９】
本発明はこのような課題を考慮してなされたものであり、刷版又は用紙の上に複数のコンテンツ画像が配置された印刷物における、断裁工程時の作業効率を向上可能である画像編集装置、画像編集方法、プログラム及び印刷物生産システムを提供することを目的とする。
【課題を解決するための手段】
【００１０】
本発明に係る画像編集装置は、刷版又は用紙の上に複数のコンテンツ画像を配置する装置であって、前記刷版又は前記用紙上に指定された全体領域中、直線状である２以上の分割線を決定する分割線決定部と、前記分割線決定部により決定された前記２以上の分割線に沿った分割により形成される複数のサブ領域内に、各前記サブ領域に応じた各前記コンテンツ画像をそれぞれ配置する画像配置部と、を備え、前記分割線決定部は、前記全体領域、前記サブ領域又は前記２以上の分割線の情報に基づいて、前記全体領域に対する前記２以上の分割線の分割順番を順次決定することを特徴とする。
【００１１】
このように、直線状である２以上の分割線を順次決定する分割線決定部を設けたので、実際の断裁作業を想定した上で各コンテンツ画像を配置可能になり、刷版又は用紙の上に複数のコンテンツ画像が配置された印刷物における、断裁工程時の作業効率を向上させることができる。
【００１２】
また、前記分割線決定部は、現時点で既に決定されたすべての前記分割線に沿った分割により形成される２以上のサブ領域のうち、少なくとも１つのサブ領域を分割対象のサブ領域として次の分割線を決定することが好ましい。
【００１３】
さらに、前記分割線決定部は、前記分割対象のサブ領域をそれぞれ二等分するように前記次の分割線を決定することが好ましい。
【００１４】
さらに、前記分割線決定部は、前記分割線の長さに応じて前記分割順番を決定することが好ましい。
【００１５】
さらに、前記分割線決定部は、前記分割線の方向に応じて前記分割順番を決定することが好ましい。
【００１６】
さらに、前記分割線決定部は、前記分割線の始点又は終点の位置に応じて前記分割順番を決定することが好ましい。
【００１７】
さらに、配置位置を特定する座標系を前記サブ領域毎にそれぞれ定義する座標系定義部をさらに備え、前記画像配置部は、前記座標系定義部により定義された前記座標系に従って各前記コンテンツ画像をそれぞれ配置することが好ましい。
【００１８】
さらに、各前記サブ領域内に配置される前記コンテンツ画像には、ページ単位の画像を配置した面付け画像が少なくとも含まれることが好ましい。
【００１９】
さらに、前記全体領域に対する前記２以上の分割線の位置情報及び前記分割順番に関する情報を、断裁指示情報として外部に送出する情報送出部をさらに備えることが好ましい。
【００２０】
本発明に係る画像編集方法は、刷版又は用紙の上に複数のコンテンツ画像を配置する方法であって、前記刷版又は前記用紙上に指定された全体領域中、直線状である２以上の分割線を決定する決定ステップと、決定された前記２以上の分割線に沿った分割により形成される複数のサブ領域内に、各前記サブ領域に応じた各前記コンテンツ画像をそれぞれ配置する配置ステップと、を備え、前記決定ステップでは、前記全体領域、前記サブ領域又は前記２以上の分割線の情報に基づいて、前記全体領域に対する前記２以上の分割線の分割順番を順次決定することを特徴とする。
【００２１】
本発明に係るプログラムは、刷版又は用紙の上に複数のコンテンツ画像を配置するためのプログラムであって、コンピュータを、前記刷版又は前記用紙上に指定された全体領域中、直線状である２以上の分割線を決定する分割線決定部、前記分割線決定部により決定された前記２以上の分割線に沿った分割により形成される複数のサブ領域内に、各前記サブ領域に応じた各前記コンテンツ画像をそれぞれ配置する画像配置部として機能させ、前記分割線決定部は、前記全体領域、前記サブ領域又は前記２以上の分割線の情報に基づいて、前記全体領域に対する前記２以上の分割線の分割順番を順次決定することを特徴とする。
【００２２】
本発明に係る印刷物生産システムは、上記した画像編集装置と、前記画像編集装置によりそれぞれ配置された前記複数のコンテンツ画像を前記用紙上に印刷することで印刷物を得る印刷機と、前記画像編集装置が備える前記情報送出部から送出された前記断裁指示情報を受信し、該断裁指示情報に応じて、前記印刷機により印刷された前記印刷物を前記２以上の分割線に沿って断裁する断裁機とを備えることを特徴とする。
【発明の効果】
【００２３】
本発明に係る画像編集装置、画像編集方法、プログラム及び印刷物生産システムによれば、直線状である２以上の分割線を順次決定するようにしたので、実際の断裁作業を想定した上で各コンテンツ画像を配置可能になり、刷版又は用紙の上に複数のコンテンツ画像が配置された印刷物における、断裁工程時の作業効率を向上させることができる。
【図面の簡単な説明】
【００２４】
【図１】本実施の形態に係る画像編集装置を組み込んだ印刷物生産システムの概略構成図である。
【図２】図１に示す画像編集装置の電気的なブロック図である。
【図３】図１及び図２に示す画像編集装置の動作説明に供されるフローチャートである。
【図４】図４Ａは、全体領域の指定例を表す概略説明図である。図４Ｂは、全体領域の分割過程を示す第１説明図である。
【図５】図５Ａは、全体領域の分割過程を示す第２説明図である。図５Ｂは、全体領域の分割過程を示す第３説明図である。
【図６】図６Ａ及び図６Ｂは、各サブ領域に対して、配置位置を特定する座標系の具体的な定義方法を表す概略説明図である。
【図７】大貼りされた面付け画像を可視化した概略正面図である。
【図８】断裁データの形式例を示す概略説明図である。
【発明を実施するための形態】
【００２５】
以下、本発明に係る画像編集方法について、これを実施する画像編集装置及び印刷物生産システムとの関係において好適な実施形態を挙げ、添付の図面を参照して説明する。
【００２６】
図１は、本実施の形態に係る画像編集装置１８を組み込んだ印刷物生産システム１０の概略構成図である。
【００２７】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うための画像編集装置１８と、画像編集装置１８により作成された校正データ（又は製版データ）に基づいてラスタライズ処理や色変換処理等の各画像処理を実行するＲＩＰ装置２０と、ＲＩＰ装置２０から送信された処理済みの校正データに基づいてプルーフ２２を印刷可能である校正機２４と、ＲＩＰ装置２０から送信された製版データに基づいて刷版２６を作製するプレートセッタ２８と、刷版２６を装着して印刷物３０を印刷可能であるオフセット印刷機３２と、印刷物３０の所定箇所を断裁する断裁機３４とがそれぞれ設けられている。
【００２８】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）３６を介して、画像編集装置１８、ＲＩＰ装置２０、プレートセッタ２８及び断裁機３４に通信可能に接続されている。
【００２９】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ等が含まれる。
【００３０】
画像編集装置１８は、文字、図形、絵柄や写真等から構成されるコンテンツデータに対してプリフライト処理を施した後、ページ単位の編集データを作成する。また、画像編集装置１８は、ジョブチケットのタグ情報を参照しながら、指定された綴じ方法や紙折り方法に応じた面付け処理を行う。本実施の形態では、印刷物３０の生産コストを低減するため、画像編集装置１８は、大判サイズの刷版２６に複数のジョブを割り当て・配置する処理（いわゆる大貼り）を実行可能に設けられている。
【００３１】
ＲＩＰ装置２０は、少なくとも１つの印刷機に対する印刷処理サーバとして機能する。図１例では、ＲＩＰ装置２０は、校正機２４と、プレートセッタ２８とに通信可能に接続されている。この場合、ＲＩＰ装置２０は、ページ記述言語｛ＰＤＬ（Page Description Language）｝で記述された校正データ（又は製版データ）に対してラスタライズ処理を施すことで、各印刷機に適した印刷用データに変換し、該印刷用データを校正機２４（又はプレートセッタ２８）に供給する。このラスタライズ処理には、ＰＤＬ形式からラスタ形式に変換するデータ形式変換処理と、ＩＣＣプロファイルを用いたカラーマッチング処理とが含まれる。
【００３２】
校正機２４は、ＲＩＰ装置２０から供給された印刷用データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００３３】
オフセット印刷機３２は、刷版２６及び図示しない中間転写体を介して、インキを用紙（メディア）上に付着させることで、印刷物３０を形成する。なお、オフセット印刷機３２に代替して、ダイレクト印刷のためのデジタル印刷機を設けてもよい。デジタル印刷機としては、インクジェットカラープルーファやカラーレーザプリンタ（電子写真方式）等を用いてもよい。
【００３４】
断裁機３４は、所定の指示に応じて印刷物３０を断裁する。本図例では、オフセット印刷機３２により印刷された１枚の印刷物３０が、４回の断裁作業を経て、６枚の紙片（以下、分離された印刷物３０ｃと称する。）にそれぞれ断裁されている。本実施の形態において、断裁機３４は、ＬＡＮ３６を介してサーバ装置１６等の外部装置と通信可能（オンライン形態）に接続されているが、外部装置と非接続（オフライン形態）であってもよい。
【００３５】
図２は、図１に示す画像編集装置１８の電気的なブロック図である。
【００３６】
画像編集装置１８は、制御部４０と、通信Ｉ／Ｆ４２（情報送出部）と、表示制御部４４と、表示部４６と、入力部４８と、メモリ５０とを備える。
【００３７】
通信Ｉ／Ｆ４２は、外部装置からの電気信号を送受信するインターフェースである。例えば、サーバ装置１６（図１参照）内で管理・保存されたコンテンツデータ、校正データ、ジョブチケット等の各種情報を取得可能である。また、制御部４０で作成された面付けデータ、断裁データ（断裁指示情報）等を外部装置に向けて送出可能である。
【００３８】
表示制御部４４は、制御部４０の制御に従って、表示部４６を駆動制御する制御回路である。表示制御部４４が、図示しないＩ／Ｆを介して、表示制御信号を表示部４６に出力することで、表示部４６が駆動する。これにより、表示部４６は、各種画像を表示することができる。
【００３９】
メモリ５０は、制御部４０が各構成要素を制御するのに必要なプログラム及びデータ等を記憶している。メモリ５０は、不揮発性のメモリ、ハードディスク等の記録媒体であってよい。
【００４０】
制御部４０は、ＣＰＵ（Central Processing Unit）等のプロセッサによって構成されている。制御部４０は、メモリ５０に格納されたプログラムを読み出し実行することで、面付け処理部５２、面付けデータ作成部５４及び表示画面作成部５６の機能を実現可能である。
【００４１】
面付け処理部５２は、指定された綴じ方法や紙折り方法に応じて、所定サイズの用紙上にページ単位で面付けする。具体的には、面付け処理部５２は、刷版２６の主面領域の中から全体領域を指定する全体領域指定部５８と、前記全体領域を複数のサブ領域に分割するための２以上の分割線を決定する分割線決定部６０と、配置位置を特定する座標系を前記サブ領域毎に定義する座標系定義部６２と、少なくとも１つのコンテンツ画像を各前記サブ領域にそれぞれ配置する画像配置部６４とを備える。
【００４２】
面付けデータ作成部５４は、指定された綴じ方法や紙折り方法に応じて、所定サイズの用紙上にページ単位で面付けするための面付けデータ（例えば、ジョブチケット）を作成する。また、面付けデータ作成部５４は、大貼りされた印刷物３０を適切に断裁するための断裁データを作成する。
【００４３】
表示画面作成部５６は、面付け条件を決定するために表示部４６に表示させる各種設定画面を作成する。一方、入力部４８は、マウス、トラックボール、キーボード等の種々の入力デバイスで構成される。そして、表示部４６の表示機能と、入力部４８の入力機能とを組み合わせることで、ユーザ・インターフェースを実現する。この場合、入力部４８は、面付け条件に関する情報を入力することで面付け処理の具体的形態を指示する面付け指示部６６として機能する。
【００４４】
本実施の形態に係る画像編集装置１８は、以上のように構成される。続いて、画像編集装置１８の動作について、図３のフローチャートを参照しながら詳細に説明する。
【００４５】
ステップＳ１において、全体領域指定部５８は、ユーザとしての作業者の操作に応じて、刷版２６（図１参照）の主面領域１００の中から全体領域１０２を指定する。ここで、全体領域１０２は、複数のコンテンツ画像が配置され得る領域に相当する。なお、刷版２６を要しないデジタル印刷機の場合、図示しない用紙の主面領域１００の中から全体領域１０２を指定する。
【００４６】
図４Ａ例では、全体領域指定部５８は、矩形状である主面領域１００（一点鎖線で図示する。）の各辺に対して所定幅（例えば、３ｍｍ）だけ内側に、全体領域１０２を指定する。ここで、主面領域１００から全体領域１０２を除いた残余の領域は、ブリード（裁ち代）に相当する。特に、デジタル印刷機を用いて印刷する場合、全体領域１０２として、主面領域１００の全面を指定してもよい。
【００４７】
ステップＳ２において、分割線決定部６０は、ステップＳ１で指定された全体領域１０２中、２以上の分割線Ｌ１〜Ｌ４を決定する。なお、断裁作業の容易性を考慮すると、分割線Ｌ１〜Ｌ４はいずれも直線状であることが好ましい。
【００４８】
図４Ｂに示すように、分割線決定部６０は、全体領域１０２の両短辺の中点を結ぶように、その長辺方向（横方向）に沿って分割線Ｌ１を決定する。これにより、全体領域１０２は、２つのサブ領域Ｒ１、Ｒ２に二等分される。なお、本図及び後述する図５Ａ、図５Ｂにおいて、分割方向を明示するため、各分割線Ｌ１〜Ｌ４の形態を矢印で表記している。そして、矢印の基端部は始点を表し、矢印の先端部は終点をそれぞれ表すものとする。
【００４９】
次いで、図５Ａに示すように、分割線決定部６０は、全体領域１０２の両長辺の中点を結ぶように、その短辺方向（縦方向）に沿って分割線Ｌ２を決定する。換言すれば、分割線決定部６０は、現時点で既に決定された分割線Ｌ１に沿った分割により形成される２以上のサブ領域Ｒ１、Ｒ２のうち、少なくとも１つのサブ領域Ｒ１、Ｒ２を分割対象のサブ領域とする。これにより、サブ領域Ｒ１は２つのサブ領域Ｒ３、Ｒ４に二等分されるとともに、サブ領域Ｒ２は２つのサブ領域Ｒ５、Ｒ６に二等分される。
【００５０】
次いで、図５Ｂに示すように、分割線決定部６０は、サブ領域Ｒ６の両長辺の中点を結ぶように、その短辺方向（縦方向）に沿って分割線Ｌ３を決定する。換言すれば、分割線決定部６０は、現時点で既に決定されたすべての分割線Ｌ１、Ｌ２に沿った分割により形成される２以上のサブ領域Ｒ３〜Ｒ６のうち、少なくとも１つのサブ領域Ｒ６を分割対象のサブ領域とする。その後、分割線決定部６０は、分割線Ｌ３に沿って分割された一方のサブ領域の両長辺の中点を結ぶように、その短辺方向（横方向）に沿って分割線Ｌ４を決定する。これにより、サブ領域Ｒ６は、３つのサブ領域Ｒ７、Ｒ８、Ｒ９に分割される。
【００５１】
このように、全体領域１０２は、４つの分割線Ｌ１〜Ｌ４により、６つのサブ領域、具体的には、大きいサブ領域Ｒ３、Ｒ４、Ｒ５と、中サイズのサブ領域Ｒ７と、小サイズのサブ領域Ｒ８、Ｒ９とにそれぞれ分割される。
【００５２】
なお、分割線決定部６０は、分割線Ｌ１〜Ｌ４の長さ、分割の方向、及び／又は、始点若しくは終点の位置に応じて分割順番を決定してもよい。例えば、分割線が長い順に早い分割順番を割り当ててもよいし、分割の方向が所定方向（例えば縦方向）である場合に早い分割順番を割り当ててもよい。あるいは、分割線の始点又は終点の位置が主面領域１００の境界上に存在する分割線Ｌ１、Ｌ２に遅い分割順番を割り当て、主面領域１００の内部に存在する分割線Ｌ３、Ｌ４に遅い分割順番を割り当ててもよい。これにより、断裁の作業効率が向上するとともに、隣接するサブ領域（具体的には、分割線Ｌ３ではサブ領域Ｒ４、分割線Ｌ４ではサブ領域Ｒ５、Ｒ７）を誤って断裁することを事前に回避できる。
【００５３】
また、全体領域１０２の分割は二等分に限られず、種々の比率であってもよい。ただし、二等分の場合、各サブ領域Ｒ１〜Ｒ９の形状（面積）の種類が少なくなるので、コンテンツ画像の配置を行い易くなるという利点がある。
【００５４】
さらに、分割線決定部６０は、面付け指示部６６からの入力・指示を介して、予め登録された複数の候補の中から１つの分割条件を選択してもよいし、分割線の数及び／又は位置を自在に決定してよい。さらに、本実施の形態ではコンテンツデータの取得（ステップＳ４）前に分割線Ｌ１〜Ｌ４を予め決定しているが、コンテンツデータを取得した後に決定してもよい。
【００５５】
ステップＳ３において、座標系定義部６２は、ステップＳ２で分割された各サブ領域Ｒ３〜Ｒ５、Ｒ７〜Ｒ９に対して、配置位置を特定する座標系をそれぞれ定義する。以下、座標系の具体的な定義方法について、サブ領域Ｒ３（図５Ａ及び図５Ｂ参照）を例に採り、図６Ａ及び図６Ｂを参照しながら説明する。
【００５６】
図６Ａ及び図６Ｂでは、サブ領域Ｒ３の長手方向に沿ってＸ軸が定義され、その短手方向に沿ってＹ軸が定義されている。そして、図６Ａ例では、二次元座標系の原点Ｏは、サブ領域Ｒ３の左上頂点部に設けられている。また、図６Ｂ例では、二次元座標系の原点Ｏは、サブ領域Ｒ３の幾何学的な重心位置に設けられている。このように、サブ領域Ｒ３内の位置を一意に定義可能であれば、どのような座標系であってもよい。
【００５７】
また、座標系定義部６２は、各サブ領域Ｒ３〜Ｒ５、Ｒ７〜Ｒ９に対して、共通の座標系（例えば、図６Ｂの重心位置基準）を定義してもよいし、それぞれ異なる座標系を定義してもよい。さらに、座標系定義部６２は、サブ領域Ｒ３〜Ｒ５、Ｒ７〜Ｒ９毎に独立した相対的な座標系ではなく、全体領域１０２を基準とする絶対的な座標系を定義してもよい。
【００５８】
ステップＳ４において、画像編集装置１８は、刷版２６上に配置しようとする複数のコンテンツデータを取得する。例えば、制御部４０は、サーバ装置１６（図１参照）に記憶されたコンテンツデータを通信Ｉ／Ｆ４２を介して取得し、メモリ５０に一時的に記憶させておく。
【００５９】
ステップＳ５において、画像配置部６４は、ステップＳ４で取得したコンテンツデータが表す各コンテンツ画像の配置を決定する。このコンテンツ画像には、最終生産物の構成要素（例えば、自然画、イラスト、テキスト等）のみならず、最終生産物の生産過程で用紙上に印字される補助マーク（例えば、トンボ、色玉、背標、管理情報等）が含まれる。
【００６０】
画像配置部６４は、各サブ領域Ｒ３〜Ｒ５、Ｒ７〜Ｒ９内に収まる範囲で、コンテンツ画像を拡縮し又は配置を変更してもよい。画像の拡縮例として、各サブ領域Ｒ３〜Ｒ５、Ｒ７〜Ｒ９内に収まる範囲でサイズが最大となるようにコンテンツ画像の拡縮率を決定する等が挙げられる。配置の変更例として、面付け画像の仕上がり位置（あるいは、ブリード位置、クリップ位置）を、分割線Ｌ１〜Ｌ４にいずれかに一致させるように位置を調整する等が挙げられる。このように、要求される断裁仕様（例えば、一刀裁ちにするか否か）に応じて、コンテンツ画像の配置を種々変更してもよい。
【００６１】
作業者の入力指示に応じて、面付け指示部６６（図２参照）は、面付け条件に関する情報を入力する。そして、画像配置部６４は、全体領域１０２内の各サブ領域Ｒ３〜Ｒ５、Ｒ７〜Ｒ９に収まるように、複数のコンテンツ画像群（例えば、ページ単位の面付け画像、及びトンボ）をそれぞれ配置したとする。
【００６２】
図７は、大貼りされた面付け画像を可視化した概略正面図である。本図は、ステップＳ５の時点ではまだ印刷されていないが、印刷工程（ステップＳ８）を経て得られる予定の印刷物３０を可視化している。
【００６３】
主面領域１００上には、全体領域１０２を画定する矩形状の枠線１０４が配置されている。主面領域１００上には、分割線Ｌ１と、分割線Ｌ２と、分割線Ｌ３と、分割線Ｌ４とがさらに配置されている。そして、主面領域１００上のサブ領域Ｒ３内には第１コンテンツ画像群１１１が、サブ領域Ｒ４内には第２コンテンツ画像群１１２が、サブ領域Ｒ５内には第３コンテンツ画像群１１３が、サブ領域Ｒ７内には第４コンテンツ画像群１１４が、サブ領域Ｒ８内には第５コンテンツ画像群１１５が、サブ領域Ｒ９内には第６コンテンツ画像群１１６が、それぞれ配置されている。本図例では、各サブ領域Ｒ３〜Ｒ５、Ｒ７〜Ｒ９内に配置される第１〜第６コンテンツ画像群１１１〜１１６には、ページ単位の画像を配置した面付け画像が少なくとも含まれている。
【００６４】
ステップＳ６において、面付けデータ作成部５４は、刷版２６上で、ステップＳ５で決定された各コンテンツ画像の配置を実現するための面付けデータ（例えば、ジョブチケット）を作成する。これと併せて、面付けデータ作成部５４は、分割線Ｌ１〜Ｌ４の位置情報及び分割順番を、印刷物３０を断裁するための断裁データとして作成する。本実施の形態では、面付けデータ及び断裁データを一元的に取り扱うものとする。なお、断裁データは、面付けデータに組み込まずに別異のデータファイルとして取り扱ってもよい。
【００６５】
図８は、断裁データの形式例を示す概略説明図である。各分割線Ｌ１〜Ｌ４に対して、分割順番、始点、終点、及び隣接サブ領域がそれぞれ紐付けられている。本図例では、主面領域１００の横方向（Ｘ軸）の長さが２０６０［ｍｍ］、縦方向（Ｙ軸）の長さが１５４０［ｍｍ］であり、座標系の原点が主面領域１００の左上頂点部に設けられたとする。そうすると、図５Ｂに従って、分割順番、始点（単位：ｍｍ）、及び終点（単位：ｍｍ）が一意に決定される。
【００６６】
なお、隣接サブ領域とは、各分割線Ｌ１〜Ｌ４に隣接するサブ領域の属性を表す。ここでは、サブ領域Ｒ３〜Ｒ５、Ｒ７〜Ｒ９の添字が小さい方から順に、隣接サブ領域「１」〜「６」をそれぞれ割り当てている。例えば、分割線Ｌ１はサブ領域Ｒ９を除いたすべてのサブ領域に隣接するので、隣接サブ領域として１から５までの数字が格納されている。また、分割線Ｌ４は２つのサブ領域Ｒ８、Ｒ９に隣接するので、５及び６の数字が格納されている。このようにすれば、分割線Ｌ１〜Ｌ４を、サブ領域Ｒ３〜Ｒ５、Ｒ７〜Ｒ９に対応付けることができる。
【００６７】
ステップＳ７において、画像編集装置１８の通信Ｉ／Ｆ４２は、外部（具体的にはサーバ装置１６）に向けて、ステップＳ６で作成された面付けデータを送出する。そして、面付けデータは、サーバ装置１６内に一時的に記憶される。
【００６８】
ステップＳ８において、校正機２４を用いた校正工程、及びオフセット印刷機３２を用いた印刷工程が順次実行される。ＲＩＰ装置２０は、コンテンツデータ及び面付けデータを用いて所望のラスタライズ処理を実行した後、得られた印刷用データを校正機２４（又はプレートセッタ２８）に供給する。そして、校正工程及び印刷工程を経ることで、印刷物３０が得られる。
【００６９】
ステップＳ９において、断裁機３４による断裁工程が実行される。断裁機３４は、サーバ装置１６からＬＡＮ３６を経由して断裁データを取得する。そして、断裁機３４は、断裁データが表す断裁位置及び断裁順番に従って、印刷物３０の所定箇所を順次断裁する。これにより、印刷物３０は、図７に示す分割線Ｌ１〜Ｌ４に沿って断裁され、分離された印刷物３０ｃが得られる。
【００７０】
なお、断裁機３４は、分割線Ｌ１〜Ｌ４上を断裁してもよいし、分割線Ｌ１〜Ｌ４に対して平行に沿って断裁してもよい。また、印刷される分割線Ｌ１〜Ｌ４の形態は、図７例に示す実線に限られず、破線、各線上の位置に設けたマーク（例えば、十字の形状）であってもよい。そもそも、断裁機３４を用いて自動で断裁する場合、分割の始点及び終点が既知であればよく、分割線Ｌ１〜Ｌ４の印刷は不要となる。
【００７１】
ところで、作業者の手動による断裁の場合、断裁機３４（あるいはその周辺）に備え付けられた表示装置（図示しない。）に断裁データを供給し、該断裁データに基づいて作成した可視情報を表示してもよい。これにより、作業者は、可視化された順番に従って断裁を進めることができ、作業上便宜である。あるいは、各分割線Ｌ１〜Ｌ４の近傍であってブリードの領域内に、断裁順番を表すマーク（例えば、数字）を予め印字してもよい。
【００７２】
最後に、各印刷形態に応じた後処理加工（例えば、更なる断裁、紙折り、綴じ等）を適宜施すことで、本等の最終生産物が形成される。
【００７３】
以上のように、直線状である２以上の分割線Ｌ１〜Ｌ４を順次決定する分割線決定部６０を設けたので、実際の断裁作業を想定した上で各コンテンツ画像（第１〜第６コンテンツ画像群１１１〜１１６）を配置可能になり、刷版２６又は用紙の上に複数のコンテンツ画像が配置された印刷物３０における、断裁工程時の作業効率を向上させることができる。
【００７４】
なお、この発明は、上述した実施形態に限定されるものではなく、この発明の主旨を逸脱しない範囲で自由に変更できることは勿論である。
【符号の説明】
【００７５】
１０…印刷物生産システム                  １６…サーバ装置
１８…画像編集装置                        ２０…ＲＩＰ装置
２４…校正機                              ３２…オフセット印刷機
３４…断裁機                              ４０…制御部
４２…通信Ｉ／Ｆ                          ４６…表示部
５０…メモリ                              ５２…面付け処理部
５４…面付けデータ作成部                  ５８…全体領域指定部
６０…分割線決定部                        ６２…座標系定義部
６４…画像配置部                          １００…主面領域
１０２…全体領域                          １０４…枠線
１１１…第１コンテンツ画像群              １１２…第２コンテンツ画像群
１１３…第３コンテンツ画像群              １１４…第４コンテンツ画像群
１１５…第５コンテンツ画像群              １１６…第６コンテンツ画像群
Ｌ１〜Ｌ４…分割線                        Ｒ１〜Ｒ９…サブ領域
【図１】
0005694135.tif 000002
【図２】
0005694135.tif 000003
【図３】
0005694135.tif 000004
【図４】
0005694135.tif 000005
【図５】
0005694135.tif 000006
【図６】
0005694135.tif 000007
【図７】
0005694135.tif 000008
【図８】
0005694135.tif 000009